(57)【要約】【課題】引出し型キャビネット７またはキャビネット本体８１を取り付け手段８４によって台車４のほぼ平坦な面３０に載置した状態でもってこのほぼ平坦な面３０に取り付けることができる引出し付き新生児用ベッド構造１を提供する。この引出し付き新生児用ベッド構造１によれば、引出し型キャビネット７を台車４に取り付ける作業が比較的簡単である。しかも、引出し型キャビネット７が台車４に取り付けられていなくても、台車４の強度が低下するおそれがない。【解決手段】引出し付き新生児用ベッド構造１は、台車４と、新生児用ベッド６と、上記新生児用ベッド６を上記台車４上に配設するための支柱機構５と、引出し型キャビネット７とを備えている。そして、上記引出型キャビネット７が取り付け手段８４によって上記台車のほぼ平坦な面３０上に取り付けられている。【選択図】  図１
2014104100.tif 000002
【特許請求の範囲】
【請求項１】
台車と、新生児用ベッドと、上記新生児用ベッドを上記台車上に配設するための支柱機構と、引出し型キャビネットとを備え、
上記引出し型キャビネットが取り付け手段によって上記台車のほぼ平坦な面上に取り付けられていることを特徴とする引出し付き新生児用ベッド構造。
【請求項２】
上記台車の上記ほぼ平坦な面に開口するように上記台車上にへこみ形状で構成された物入れを備え、
上記引出し型キャビネットが、上記物入れの上面開口を覆うように上記台車の上記ほぼ平坦な面上に配置された状態でもって、上記取り付け手段によって上記台車の上記ほぼ平坦な面上に取り付けられていることを特徴とする請求項１に記載の引出し付き新生児用ベッド構造。
【請求項３】
上記へこみ形状の物入れが、上記支柱機構の一方の側において上記ほぼ平坦な面に開口している第１の物入れと、上記支柱機構の他方の側において上記ほぼ平坦な面に開口している第２の物入れとを含み、
上記引出し型キャビネットが１個であり、
上記１個の引出し型キャビネットが、上記第２の物入れの上面開口を覆うことなく、上記第１の物入れの上面開口を覆うように、上記ほぼ平坦な面上に取り付けられていることを特徴とする請求項２に記載の引出し付き新生児用ベッド構造。
【請求項４】
上記台車の上記ほぼ平坦な面が、平面的に見て切り込み形状の凹部を有し、
上記切り込み形状の凹部の間口が、３６〜４４ｃｍの範囲であり、
上記切り込み形状の凹部の奥行きが、６〜８ｃｍの範囲であり、
上記切り込み形状の凹部が平面的に見て上記引出型キャビネットの下側面によって覆われている面積の割合が、７５％以上であることを特徴とする請求項１、２または３に記載の引出し付き新生児用ベッド構造。
【請求項５】
上記取り付け手段が、両面粘着テープ、両面粘着シート、両面接着テープおよび両面接着シートのうちの少なくとも１種であることを特徴とする請求項１〜４のうちのいずれか１つに記載の引出し付き新生児用ベッド構造。
【請求項６】
上記新生児用ベッドが、新生児が収容されることができる新生児収容かごと、この新生児収容かごが収容されることができるかご受けとを備え、
上記新生児収容かごの下方部分が上記かご受けのかご収容用凹部に着脱自在に収容されることができるように構成され、
上記新生児収容かごのエンドレスな側壁部が、前方側のほぼＵ字形状の側壁部と、上記前方側のほぼＵ字形状の側壁部よりも高さが大きい後方側のほぼＵ字形状の側壁部と、上記前方側のほぼＵ字形状の側壁部から上記後方側のほぼＵ字形状の側壁部に向かって上方に連続的に傾斜するように、上記前方側のほぼＵ字形状の側壁部と上記後方側のＵ字形状の側壁部との間に設けられた左右一対の傾斜面とを備え、
上記前方側のほぼＵ字形状の側壁部が上記かご収容用凹部に収容されている高さ方向における長さが、上記新生児用収容かごの上記前方側のほぼＵ字形状の側壁部の高さ方向における長さの３４〜４６％の長さであり、
上記後方側のほぼＵ字形状の側壁部が上記かご収容用凹部に収容されている高さ方向における長さが、上記新生児用収容かごの上記後方側のほぼＵ字形状の側壁部の高さ方向における長さの２８〜３６％の長さであることを特徴とする請求項１〜５のうちのいずれか１つに記載の引出し付き新生児用ベッド構造。
【請求項７】
上記引出し型キャビネットが、キャビネット本体と、このキャビネット本体に対して引き出したり押し込んだりすることができるように、上記キャビネット本体の内部に収納されることができる引出しと、上記引出し型キャビネットの天板を構成するように、上記キャビネット本体の上側に配設されているトレーとを備え、
上記トレーが上記キャビネット本体に対して引き出されたり押し込まれたりすることができるように構成されていることを特徴とする請求項１〜６のうちのいずれか１つに記載の引出し付き新生児用ベッド構造。
【請求項８】
上記支柱機構が、上記台車上に配設されている固定支柱と、この固定支柱に対して上昇および下降することができる可動支柱とを備え、
上記新生児用ベッドが、上記可動支柱に支持され、
上記可動支柱が上記固定支柱に対して上昇および下降することによって、上記新生児用ベッドが上昇および下降するように構成されていることを特徴とする請求項１〜７のうちのいずれか１つに記載の引出し付き新生児用ベッド構造。
【請求項９】
上記新生児用ベッドが、この新生児用ベッドのほぼ前後方向における傾斜角度を変更させることができるように、上記可動支柱に傾動可能に支持され、
上記可動支柱に対して上記新生児用ベッドを非傾斜状態および傾斜状態のうちのいずれの状態にもロックすることができる状態ロック手段と、上記状態ロック手段の状態ロック機能を解除させることができるロック解除操作手段とをさらに備え、
上記ロック解除操作手段が、上記新生児用ベッドの前側および／または後側の把手用スリット付近に配設されていることを特徴とする請求項８に記載の引出し付き新生児用ベッド機構。
【請求項１０】
請求項１〜９のうちのいずれか１つに記載の引出し付き新生児用ベッド構造を製作する方法であって、
上記台車と、上記支柱機構と、上記新生児用ベッドのかご受けと、上記新生児用ベッドの新生児収容かごと、上記引出し型キャビネットとをそれぞれ用意する工程と、
上記支柱機構を上記台車上に取り付ける工程と、
上記かご受けを上記支柱機構上に取り付ける工程と、
上記新生児収容かごを上記かご受けに装着する工程と、
上記引出し型キャビネットを両面粘着テープ、両面粘着シート、両面接着テープおよび両面接着シートのうちの少なくとも一種から成る取り付け手段によって上記台車に取り付ける工程とを備えていることを特徴とする引出し付き新生児用ベッド構造の製作方法。
【発明の詳細な説明】
【技術分野】
【０００１】
本発明は、台車と、この台車上に配設されている新生児用ベッドと、上記台車に取り付けられている引出し型キャビネットとを備えている引出し付き新生児用ベッド構造に関するものである。また、本発明は、上述のような引出し付き新生児用ベッド構造を製作する方法にも関するものである。
【背景技術】
【０００２】
図１０に示すような引出し付き新生児用ベッド構造１０１が従来から知られている。そして、この図１０に示す引出し付き新生児用ベッド構造（以下、「図１０のベッド構造」という。）１０１も、台車１０２と、この台車１０２上に配設されている新生児用ベッド１０３と、台車１０２に取り付けられている引出し型キャビネット１０４とを備えている。また、台車１０２は、台車本体１０５と、この台車本体１０５の４本の脚部１０６の下端にそれぞれ取り付けられている４個のキャスタ１０７とを備えている。
【０００３】
台車本体１０５は、図１０に示すように、ほぼ逆Ｕ字形状をそれぞれ有する左右一対の主枠１０８ａ、１０８ｂと、これら左右一対の主枠１０８ａ、１０８ｂの上端部付近においてこれらの主枠１０８ａ、１０８ｂにそれぞれ連結されているベッド受け用枠１１１とを備えている。そして、上述の４本の脚部１０６は、左右一対の主枠１０８ａ、１０８ｂの両端部からそれぞれ構成されている。また、ベッド受け用枠１１１は、ほぼ水平方向に延在している平面的に見てほぼ長方形状の水平枠１１２と、この水平枠１１２の左右両側にそれらの左右両側端部をそれぞれ連結されている前後一対のほぼＵ字形状のベッド支持用枠１１３ａ、１１３ｂと、これらのベッド支持用枠１１３ａ、１１３ｂの前後両側にそれらの前後両端部をそれぞれ連結されている左右一対のほぼＵ字形状の連結枠１１４ａ、１１４ｂとを備えている。さらに、上記ベッド受け用枠１１１には、新生児用ベッド１０３が嵌め込まれて装着されている。
【０００４】
引出し型キャビネット１０４は、図１０に示すように、キャビネット本体１１５と、このキャビネット本体１１５の内部に引き出しおよび押し込みが自在に収納されている上下二段の引出し１１６ａ、１１６ｂとを備えている。そして、引出し型キャビネット１０４は、左右一対の主枠１０８ａ、１０８ｂの間において、これらの主枠１０８ａ、１０８ｂに取り付け固定されている。なお、この取り付け固定に際しては、まず、引出し１１６ａ、１１６ｂをキャビネット本体１１５からそれぞれ抜き取る。ついで、多数本の取付けねじ（図示せず）をキャビネット本体１１５の内部からのねじ込み作業でもって主枠１０８ａ、１０８ｂのねじ孔（図示せず）にねじ込み固定することによって、キャビネット本体１１５を台車１０２に取付け固定する。ついで、引出し１１６ａ、１１６ｂをキャビネット本体１１５の内部に押し込む。
【発明の開示】
【発明が解決しようとする課題】
【０００５】
しかし、図１０のベッド構造の場合には、作業者は、引出し型キャビネット１０４を台車１０２に取り付け固定するために、キャビネット本体１１５を主枠１０８ａ、１０８ｂに対する所定の位置に保持してキャビネット本体１１５が下方などに落下しないようにした状態でもって、多数本の取付けねじをキャビネット本体１１５の内部からのねじ込み作業でもって主枠１０８ａ、１０８ｂのねじ孔にねじ込み固定する必要がある。したがって、引出し型キャビネット１０４を台車１０２に取り付ける作業がきわめて煩雑である。そして、引出し型キャビネット１０４が破損した場合などには、引出し型キャビネット１０４を台車から取り外すために、上記多数本の取付けねじをキャビネット本体１１５の内部からのねじ戻し作業でもって主枠１０８ａ、１０８ｂのねじ孔からねじ戻して取り外す必要がある。したがって、キャビネット１０４を台車１０２から取り外す作業がきわめて煩雑である。しかも、引出し型キャビネット１０４を台車１０２から取り外した場合には、台車１０２の強度が著しく低下する。
【０００６】
さらに、図１０のベッド構造において、新生児用ベッド１０３内の新生児の姿勢を変化させるために、新生児用ベッド１０３の頭側の部分を脚側の部分よりも高くする場合には、取扱者が新生児用ベッド１０３を手などで持ち上げてから、台車１０２に対する新生児用ベッド１０３の取り付け状態を変化させる必要がある。また、新生児用ベッド１０３の高さ方向における位置を高くしたり低くしたりすることを簡単かつ安全には実現することができない。さらに、図１０のベッド構造にＳｐＯ２（血中酸素飽和度）計測器などの小型の計測器を配置して、新生児の健康状態を検査することは、比較的困難である。
【０００７】
本発明は、図１０のベッド構造における上述のような欠点を、比較的簡単な構成でもって、効果的に是正し得るようにしたものである。
【課題を解決するための手段】
【０００８】
本発明は、その第１の観点においては、台車と、新生児用ベッドと、上記新生児用ベッドを上記台車上に配設するための支柱機構と、引出し型キャビネットとを備え、上記引出し型キャビネットが取り付け手段によって上記台車のほぼ平坦な面上に取り付けられていることを特徴とする引出し付き新生児用ベッド構造に係るものである。
【０００９】
本発明の上記第１の観点の第１の態様においては、上記台車の上記ほぼ平坦な面に開口するように上記台車上にへこみ形状で構成された物入れを備え、上記引出し型キャビネットが、上記物入れの上面開口を覆うように上記台車の上記ほぼ平坦な面上に配置された状態でもって、上記取り付け手段によって上記台車の上記ほぼ平坦な面上に取り付けられていることができる。この場合、上記へこみ形状の物入れが、上記支柱機構の一方の側において上記ほぼ平坦な面に開口している第１の物入れと、上記支柱機構の他方の側において上記ほぼ平坦な面に開口している第２の物入れとを含み、上記引出し型キャビネットが１個であり、上記１個の引出し型キャビネットが、上記第２の物入れの上面開口を覆うことなく、上記第１の物入れの上面開口を覆うように、上記ほぼ平坦な面上に取り付けられていることができる。
【００１０】
そして、本発明の上記第１の観点の第２の態様においては、上記台車の上記ほぼ平坦な面が、平面的に見て切り込み形状の凹部を有し、上記切り込み形状の凹部の間口が、３６〜４４ｃｍの範囲であり、上記切り込み形状の凹部の奥行きが、６〜８ｃｍの範囲であり、上記切り込み形状の凹部が平面的に見て上記引出型キャビネットの下側面によって覆われている面積の割合が、７５％以上であることができる。また、本発明の上記第１の観点の第３の態様においては、上記取り付け手段が、両面粘着テープ、両面粘着シート、両面接着テープおよび両面接着シートのうちの少なくとも１種であることができる。
【００１１】
そして、本発明の上記第１の観点の第４の態様においては、上記新生児用ベッドが、新生児が収容されることができる新生児収容かごと、この新生児収容かごが収容されることができるかご受けとを備え、上記新生児収容かごの下方部分が上記かご受けのかご収容用凹部に着脱自在に収容されることができるように構成され、上記新生児収容かごのエンドレスな側壁部が、前方側のほぼＵ字形状の側壁部と、上記前方側のほぼＵ字形状の側壁部よりも高さが大きい後方側のほぼＵ字形状の側壁部と、上記前方側のほぼＵ字形状の側壁部から上記後方側のほぼＵ字形状の側壁部に向かって上方に連続的に傾斜するように、上記前方側のほぼＵ字形状の側壁部と上記後方側のＵ字形状の側壁部との間に設けられた左右一対の傾斜面とを備え、上記前方側のほぼＵ字形状の側壁部が上記かご収容用凹部に収容されている高さ方向における長さが、上記新生児用収容かごの上記前方側のほぼＵ字形状の側壁部の高さ方向における長さの３４〜４６％の長さであり、上記後方側のほぼＵ字形状の側壁部が上記かご収容用凹部に収容されている高さ方向における長さが、上記新生児用収容かごの上記後方側のほぼＵ字形状の側壁部の高さ方向における長さの２８〜３６％の長さであることができる。また、本発明の上記第１の観点の第５の態様においては、上記引出し型キャビネットが、キャビネット本体と、このキャビネット本体に対して引き出したり押し込んだりすることができるように、上記キャビネット本体の内部に収納されることができる引出しと、上記引出し型キャビネットの天板を構成するように、上記キャビネット本体の上側に配設されているトレーとを備え、上記トレーが上記キャビネット本体に対して引き出されたり押し込まれたりすることができるように構成されていることができる。
【００１２】
そして、本発明の上記第１の観点の第６の態様においては、上記支柱機構が、上記台車上に配設されている固定支柱と、この固定支柱に対して上昇および下降することができる可動支柱とを備え、上記新生児用ベッドが、上記可動支柱に支持され、上記可動支柱が上記固定支柱に対して上昇および下降することによって、上記新生児用ベッドが上昇および下降するように構成されていることができる。この場合、上記新生児用ベッドが、この新生児用ベッドのほぼ前後方向における傾斜角度を変更させることができるように、上記可動支柱に傾動可能に支持され、上記可動支柱に対して上記新生児用ベッドを非傾斜状態および傾斜状態のうちのいずれの状態にもロックすることができる状態ロック手段と、上記状態ロック手段の状態ロック機能を解除させることができるロック解除操作手段とをさらに備え、上記ロック解除操作手段が、上記新生児用ベッドの前側および／または後側の把手用スリット付近に配設されていることができる。
【００１３】
さらに、本発明は、その第２の観点においては、上記第１の観点における引出し付き新生児用ベッド構造を製作する方法であって、上記台車と、上記支柱機構と、上記新生児用ベッドのかご受けと、上記新生児用ベッドの新生児収容かごと、上記引出し型キャビネットとをそれぞれ用意する工程と、上記支柱機構を上記台車上に取り付ける工程と、上記かご受けを上記支柱機構上に取り付ける工程と、上記新生児収容かごを上記かご受けに装着する工程と、上記引出し型キャビネットを両面粘着テープ、両面粘着シート、両面接着テープおよび両面接着シートのうちの少なくとも一種から成る取り付け手段によって上記台車に取り付ける工程とを備えていることを特徴とする引出し付き新生児用ベッド構造の製作方法に係るものである。
【発明の効果】
【００１４】
請求項１に係る発明によれば、引出し型キャビネットまたはキャビネット本体を取り付け手段によって台車のほぼ平坦な面に載置した状態でもってこのほぼ平坦な面に取り付けることができる。したがって、引出し型キャビネットを台車に取り付ける作業が比較的簡単である。しかも、引出し型キャビネットが台車に取り付けられていなくても、台車の強度が低下するおそれがない。
【００１５】
また、請求項２に係る発明によれば、引出し型キャビネットが台車に取り付けられていない場合には、台車に設けられているへこみ形状の物入れに使用前または使用後のおむつなどの各種の物品を必要に応じて収容することができるので、上記物入れを有効に利用することができる。そして、請求項３に係る発明によれば、引出し型キャビネットが台車に取り付けられている場合でも、台車に設けられているへこみ形状の第２の物入れに上記各種の物品を必要に応じて収容させることができる。
【００１６】
また、請求項４に係る発明によれば、引出し型キャビネットを取り付け手段によって台車のほぼ平坦な面に取り付ける際に、作業者は、引出し型キャビネットの下側面のうちの切り込み形状の凹部にほぼ対応する部分に手を添えた状態でもって、引出し型キャビネットを台車のほぼ平坦な面に取り付けることができるので、引出し型キャビネットを台車に比較的簡単に取り付けることができる。そして、請求項５に係る発明によれば、キャビネット本体を台車のほぼ平坦な面に取り付ける作業をさらに簡単に、しかも、確実かつ安全に行うことができる。また、請求項６に係る発明によれば、新生児収容かごをかご受けを介して支柱機構に確実かつ安全に取り付けることができるとともに、引出し付き新生児用ベッド構造から新生児収容かごを取り外したり再び取り付けたりする操作が簡単である。
【００１７】
また、請求項７に係る発明によれば、キャビネット本体が、引出しと、このキャビネット本体の天板を構成しているトレーとを備えているので、タオルや新生児の肌着などの各種の物品を必要に応じて引出し内に収容することができるとともに、ＳｐＯ２計測器などの小型の計測器などの各種の物品を必要に応じてトレー上に配置することができる。そして、請求項８に係る発明によれば、固定支柱に対して可動支柱を上昇または下降させることによって、新生児用ベッドを上昇または下降させることができるので、新生児用ベッドの高さ方向における位置を高くしたり低くしたりすることを簡単かつ安全に行うことができる。また、請求項９に係る発明によれば、新生児用ベッドの前側および／または後側の把手用スリット付近に配設されているロック解除操作手段を操作することによって、可動支柱に対する新生児用ベッドのほぼ前後方向における傾斜角度を変化させることが可能になる。このために、新生児用ベッドの頭側の部分を脚側の部分よりも高くして新生児用ベッド内の新生児の姿勢を変化させたり元の姿勢に戻したりする操作を、簡単かつ確実に行うことができる。
【００１８】
さらに、請求項１０に記載の発明によれば、まず、台車、支柱機構、かご受け、新生児収容かごおよび引出し型キャビネットを１ヶ所または複数ヶ所の製造工場などの製造現場において製造することができる。ついで、台車、支柱機構およびかご受けを順次組み合わせることによって、新生児収容かごおよび引出し型キャビネットのいずれもが取り付けられていない新生児用ベッド構造をまず製作することができる。また、必要に応じて、上記製造現場などの適当な場所において、上記新生児用ベッド構造のかご受けに新生児用収容かごを装着することができる。そして、場合によっては、上記製造現場において、引出し型キャビネットを台車に取り付けることができる。しかし、引出し型キャビネットは、上記新生児用ベッド構造を使用する病院などのオプションとして、上記新生児用ベッド構造に組み込まれるのが好ましい。このために、引出し型キャビネットは、病院などの使用現場において、両面粘着テープ、両面粘着シート、両面接着テープおよび両面接着シートのうちの少なくとも一種から成る取り付け手段によって台車に取り付けられることができる。したがって、使用者の要望に応じた必要な新生児用ベッド構造を使用者に迅速かつ簡単に提供することができる。
【図面の簡単な説明】
【００１９】
【図１】本発明の一実施例による引出し付き新生児用ベッド構造の斜視図である。（実施例１）
【図２】図１に示す引出し付き新生児用ベッド構造の正面図である。（実施例１）
【図３】図１に示す引出し付き新生児用ベッド構造の右側面図である。（実施例１）
【図４】図１に示す引出し付き新生児用ベッド構造の、新生児用ベッドを前下がりの傾斜状態にした右側面図である。（実施例１）
【図５】図１に示す引出し付き新生児用ベッド構造の、引出し型キャビネットのトレーを前方に多少移動させた状態における斜視図である。（実施例１）
【図６】図１に示す台車本体の分解斜視図である。（実施例１）
【図７】図３にそれぞれ示す新生児用ベッドと支柱機構との連結部分の部分的な拡大断面図である。（実施例１）
【図８】引出し型キャビネットおよびその下側周辺部分の、図１におけるＩ−Ｉ線に沿った断面図である。（実施例１）
【図９】図６に示す引出し型キャビネットの部分的な拡大断面図である。（実施例１）
【図１０】従来の引出し付き新生児用ベッド構造の斜視図である。（従来例）
【発明を実施するための最良の形態】
【００２０】
つぎに、本発明の一実施例による引出し付き新生児用ベッド構造およびその製作方法を、「１、引出し付き新生児用ベッド構造の概略的な説明」、「２、台車の説明」、「３、新生児用ベッドの説明」、「４、支柱機構の説明」、「５、引出し型キャビネットの説明」および「６、引出し付き新生児用ベッド構造の製作方法の説明」に項分けして、図面を参照しつつ説明する。
【００２１】
１、引出し付き新生児用ベッド構造の概略的な説明
【００２２】
引出し付きの新生児用ベッド構造１は、図１〜図５に示すように、つぎの（ａ）項〜（ｄ）項に記載する主要な構成要素を備えている：
（ａ）ほぼ長方形状の台車本体２と、この台車本体２の下側面のほぼ四隅にそれぞれ取り付けられている車輪としての４個のキャスタ３とをそれぞれ有する台車４、
（ｂ）台車本体２のほぼ中央部分にその下端部付近を取り付けられて、この台車本体２に支持されている支柱機構５、
（ｃ）支柱機構５の上端部付近にその下端部付近を取り付けられて、この支柱機構５に支持されている新生児用ベッド６、および
（ｄ）台車本体２上に取り付けられている引出し型キャビネット７。
【００２３】
新生児用ベッド６は、図１〜図５に示すように、支柱機構５の上端部付近にその下端部付近を取り付けられているほぼかご形状のかご受け１１と、このかご受け１１のかご収容用の凹部１３に着脱自在に収容されることができるほぼかご形状の新生児収容かご１２とを備えている。そして、このかご受け１１の下方付近には、新生児用ベッド６を台車４に支持させるための支柱機構５が配設されている。
【００２４】
２、台車の説明
【００２５】
ほぼ長方形状の台車本体２は、図６に示すように、金属製などのベース部材１４と、このベース部材１４のほぼ全体をその上側からカバーしている合成樹脂製などのベースカバー１５とから成っている。そして、ベース部材１４は、左右一対の長軸１６ａ、１６ｂと、前後一対の短軸１７ａ、１７ｂとから成るほぼ長方形状の枠体２１を有している。また、左右一対の長軸１６ａ、１６ｂのそれぞれの両端部は、前側および後側の短軸１７ａ、１７ｂよりも前方および後方にそれぞれ突出している。そして、これらの両端部付近には、ほぼ下方に向って延在しているキャスタ取り付け軸２２のそれぞれが溶接、ねじ止めなどによって取り付け固定されている。さらに、これらのキャスタ取り付け軸２２のそれぞれには、ストッパ付きキャスタ３が取り付けられている。
【００２６】
ベース部材１４は、図６に示すように、左右一対の長軸１６ａ、１６ｂの間に掛け渡された支持手段としての金属製などの支持部材２３を備えている。そして、この支持部材２３は、扁平で細長いほぼ箱形などの形状を有する支持部材本体２４と、この支持部材本体２４の下側に取り付け固定されているほぼ箱形などの形状（例えば、ほぼ立方体形状）を有する取り付け部２５とを備えている。また、支持部材本体２４には、取り付け部２５にほぼ連通しているほぼ円形などの開口２６が設けられている。
【００２７】
ベースカバー１５のほぼ四隅のそれぞれには、図６に示すように、ほぼ前方またはほぼ後方に突出している突出部３１が設けられている。したがって、ベースカバー１５の前側面および後側面のそれぞれの中間部には、それぞれ切り込み形状の前側の凹部３２および後側の凹部３３が設けられている。そして、ベースカバー１５のほぼ中央部には、開口２６にほぼ対応するように、ほぼ円形などの開口３４が設けられている。また、ベースカバー１５には、開口３４と前側の凹部３２との間に位置するように、ほぼ直方体形状などのへこみ形状に構成されている前側の物入れ３５が配設されている。さらに、ベースカバー１５には、開口３４と後側の凹部３３との間に位置するように、ほぼ直方体形状などのへこみ形状に構成されている後側の物入れ３６が前側の物入れ３５とはほぼ前後対称的に配設されている。
【００２８】
前側の凹部３２および後側の凹部３３は、図６に示すように、互いに対称的に形成されている。そして、前側の凹部３２および後側の凹部３３のそれぞれは、ベースカバー１５の左右方向に細長いほぼ山形の形状に構成されている。具体的には、前側の凹部３２および後側の凹部３３のそれぞれの間口（換言すれば、上記左右方向における最大長さ）Ｌ４は、約４０ｃｍである。また、前側の凹部３２および後側の凹部３３のそれぞれの奥行き（換言すれば、前後方向における最大長さ）Ｌ５は、約７ｃｍである。なお、前側の凹部３２および後側の凹部３３のそれぞれの間口Ｌ４は、実用性の観点から見て一般的に、３２〜４８ｃｍの範囲であるのが好ましく、３６〜４４ｃｍの範囲であるのがさらに好ましい。また、前側の凹部３２および後側の凹部３３のそれぞれの奥行きＬ５は、実用性の観点から見て一般的に、６〜９ｃｍの範囲であるのが好ましく、６〜８ｃｍの範囲であるのがさらに好ましい。
【００２９】
図６に示すベースカバー１５を図６に示すベース部材１４にほぼ上方から被せると、図１〜図５に示す台車本体２が得られる。この場合、この台車本体２においては、左右一対の長軸１６ａ、１６ｂのそれぞれの上端部および支持部材本体２４の上端面のそれぞれは、ベースカバー１５の上端部の内側面に接着または粘着手段（例えば、両面接着テープまたはシートもしくは両面粘着テープまたはシート）によって、接着または粘着されることができる。そして、台車本体２には、ストッパ付きであるのが好ましいキャスタ３が４本のキャスタ取り付け軸２２のそれぞれに取り付け支持されている。なお、図１において、符号３７は、キャスタ取り付け軸２２が挿通されている合成樹脂製などでかつほぼ円筒状などのカバーである。
【００３０】
３、新生児用ベッドの説明
【００３１】
新生児用ベッド６は、図１〜図５に示すように、新生児が収容されることができるように合成樹脂などから一体成形された新生児収容かご１２と、この新生児収容かご１２の下方部分がそのかご収容用凹部１３に着脱自在な嵌合状態で収容されることができるように合成樹脂などから一体形成されたかご受け１１とを備えている。そして、新生児収容かご１２の新生児収容空間４１のほぼ平らな底面４２には、必要に応じてマットレス（図示せず）が敷設されてから、新生児（図示せず）が収容される。なお、新生児収容かご１２には、底面部４２の全周囲にわたって、エンドレスな側壁部４３が一体的に立設されている。そして、この側壁部４３のうちの新生児収容かご１２のほぼ後側の部分（換言すれば、新生児の頭部付近にほぼ対応する部分）のほぼＵ字形状の側壁部４３ａの高さは、図３に示すように、新生児収容かご１２のほぼ前側の部分（換言すれば、新生児の脚部付近にほぼ対応する部分）と新生児収容かご１２のほぼ中間の左右両側の部分（換言すれば、新生児の胴体付近にほぼ対応する部分）とから成る複合部分のほぼＵ字形状の側壁部４３ｂのそれぞれの高さよりも高くなっている。また、エンドレスな側壁部４３のうちのほぼＵ字形状の側壁部４３ａとほぼＵ字形状の側壁部４３ｂとの左右両側における境界部分付近のそれぞれの上端部は、側壁部４３ａの上端部から側壁部４３ｂの上端部に向って下方に連続的に傾斜する連続面としての傾斜面４３ｃになっている。
【００３２】
かご受け１１は、図１〜図５に示すように、新生児収容かご１２の下方部分とほぼ同形に構成されていてよいかご収容用凹部１３を備えている。このために、かご受け１１の上下方向における中間部分には、図７に示すように、仕切り板部４７が設けられている。そして、かご受け１１には、ほぼエンドレスな外向きフランジ部４４が凹部１３のほぼ上端の外周囲のほぼ全体にわたって突設されている。また、ほぼエンドレスな外向きフランジ４４のうちの前側の部分４４ａおよび後側の部分４４ｂは幅広に構成されている。そして、これらの前側部分４４ａおよび後側部分４４ｂには、これらの前側部分４４ａおよび後側部分４４ｂの大よそ全長にわたってそれぞれ延在している前側の把手用スリット４５ａおよび後側の把手用スリット４５ｂがそれぞれ形成されている。したがって、取扱者は、これら前後一対の把手用スリット４５ａ、４５ｂに手を掛けて、新生児用ベッド６を把持することができる。そして、取扱者は、この把持状態において、引出し付き新生児用ベッド構造１の全体を、キャスタ３を利用して、所望の位置に移動させることができる。また、取扱者は、この把持状態において、後述のロック解除レバー５５を操作して、新生児用ベッド６のほぼ前後方向における傾斜角度を変更させることができる。なお、かご受け１１の外向きフランジ４４の前側部分４４ａ（換言すれば、前側の把手用スリット４５ａとかご収容用凹部１３の前端との間でかつ左右方向におけるほぼ中央の部分）の上面には、図１などに示すように、ネームホルダ４６が配設されている。
【００３３】
新生児収容かご１２の下方部分は、図３などに示すように、かご受け１１のかご収容用凹部１３にほぼ全体的に収容されている。具体的には、新生児収容かご１２の後側部分のほぼＵ字形状の側壁部４３ａは、その高さ方向における長さＬ１のうちの約３２％がかご収容用凹部１３に収容されている。そして、新生児収容かご１２の前側部分のほぼＵ字形状の側壁部４３ｂは、その高さ方向における長さＬ２のうちの約４０％がかご収容用凹部１３に収容されている。したがって、新生児収容かご１２の連続面４３ｃは、その高さ方向における長さＬ３のうちの約３２％〜約４０％かご収容用凹部１３に収容されている。なお、ほぼＵ字形状の側壁部４３ａがかご収容用凹部１３に収容されている高さ方向における長さは、実用性の観点から見て一般的に、上記長さＬ１の２６〜３８％の範囲であるのが好ましく、２８〜３６％の範囲であるのがさらに好ましい。また、ほぼＵ字形状の側壁部４３ｂがかご収容用凹部１３に収容されている高さ方向における長さは、実用性の観点から見て一般的に、上記長さＬ２の３２〜４８％の範囲であるのが好ましく、３４〜４６％の範囲であるのがさらに好ましい。
【００３４】
かご受け１１の下側面のほぼ中央の部分には、図２、図３、図７などに示すように、下方からみてほぼ長方形状などの掘れ込み形状の凹部５３が形成されている。そして、かご受け１１の下側面は、図３に示すように、側方から見ほぼ円弧状に構成されている。また、かご受け１１の下側面は、図２に示すように、前方または後方から見てその中央部分５１がほぼ平ら（換言すれば、ほぼ水平な線）であるとともにその左右両端部５２ａ、５２ｂのそれぞれがほぼ下方に突出している突出形状になっている。さらに、かご受け１１における凹部５３の上端面には、ほぼ箱蓋形状であってよい金属製などの取り付け板５４がビス止めなどによって取り付け固定されている。
【００３５】
４、支柱機構の説明
【００３６】
支柱機構５は、図３などに示すように、外筒としての固定支柱６１と、この固定支柱６１に対して上昇および下降することができるように直線往復動などの往復動が可能な内筒としての可動支柱６２とを備えている。なお、固定支柱６１の下端部は、台車４のベースカバー１５の開口３４と台車４のベース部材１４の支持部材本体２４の開口２６とをそれぞれ通して取り付け部２５の内部に挿入されて、取り付け部２５の下端面に上方から当接している。そして、固定支柱６１の下端部は、図３などに示すねじ６３によって、取り付け部２５に取り付け固定されている。また、固定支柱６１の内部には、ガススプリング（図示せず）が配設されている。さらに、支柱機構５は、上記ガススプリングを作動させるための昇降操作手段としての昇降操作レバー６４を備えている。
【００３７】
可動支柱６２の上端部は、図７などに示すように、連結手段としての連結部材６５に取り付けられている。そして、連結部材６５は、取り付け軸６６によって、新生児用ベッド６の取り付け板５４に取り付けられている。また、昇降操作レバー６４は、連結部材６５に配設された支軸６７によって、連結部材６５に往復回動可能に取り付けられている。さらに、昇降操作レバー６４は、スプリング（図示せず）によって、復回動方向に付勢されている。そして、可動支柱６２の上端部は、連結部材６５のほぼＵ字形状の取り付け板部６５ａに、ねじ（図示せず）などによって、取り付け固定されている。また、昇降操作レバー６４を往動操作したときには、制御用ワイヤ（図示せず）によって前記ガススプリングが作動して、可動支柱６２を上昇させようとする駆動力が可動支柱６２に加わる。このために、可動支柱６２が再上昇位置までに上昇しておらずかつ可動支柱６２の上昇を阻止する力が可動支柱６２に人為的に加えられていない場合には、可動支柱６２が上昇するので、新生児用ベッド６も可動支柱６２と一体となって上昇する。この場合、可動支柱６２および新生児用ベッド６のそれぞれの最大上昇位置は、上記ガススプリングの最大伸長状態によってほぼ決定されることができる。そして、昇降操作レバー６４を往回動させた状態（換言すれば、上記ガススプリングの作動状態）において、新生児用ベッド６をほぼ下方に向って押しつけると、可動支柱６２が、上記ガススプリングのガス圧に抗して下降するので、新生児用ベッド６も可動支柱６２と一体となって下降する。この場合、可動支柱６２および新生児用ベッド６のそれぞれの最大下降位置は、上記ガススプリングの最大短縮状態によって、ほぼ決定されることができる。
【００３８】
連結部材６５は、図７に示すように、ほぼコ字形状の第２の取り付け板部７１を備えている。そして、この取り付け板部７１には、シリンダ支持板７２の下端部付近が取り付けピン７３によって回動可能に取り付けられている。また、このシリンダ支持板７２には、シリンダ７４が取り付け固定されている。さらに、シリンダ７４には、ピストン７５が直線往復動などの往復動が可能に支持されている。そして、ピストン７５の上端部は、新生児用ベッド６の取り付け板５４に取り付けピン７６によって回動可能に軸支されている。なお、ロック手段としてのロックレバー７７が、シリンダ７４の外周囲に対向するように、シリンダ７４に配設されている。そして、前述のロック解除レバー５５を往動操作したときには、制御用ワイヤ（図示せず）によってこのロック解除レバー５５に連結されているロックレバー７７が往動して、シリンダ７４に対するピストン７５の往復動を可能にする。したがって、取扱者は、かご受け１１の把手用スリット４５ａ、４５ｂなどに手を掛けて新生児用ベッド６を把持した状態において、新生児用ベッド６のほぼ前後方向における傾斜角度を変更させることができる。
【００３９】
この場合、連結部材６５の上端面には、ほぼ水平な面６５ｂおよび傾斜面６５ｃがそれぞれ設けられている。なお、上記傾斜面６５ｃが水平方向に対して傾斜している角度θは、約１２°である。このために、図３に示す新生児用ベッド６の前側がその後側よりも低くなるように、新生児用ベッド６を取り付け軸６６を支点として往回動（換言すれば、傾動）させたときには、新生児用ベッド６は、取り付け軸６６を支点として最大で約１２°往回動して、前下がりの傾斜状態になる。なお、図４には、上述のように約１２°往回動して前下がりの傾斜状態になった新生児用ベッド６が示されている。この場合、上記傾斜角度θ（換言すれば、新生児用ベッド６の前下がりの最大傾斜角度）は、実用性の観点から見て一般的に、９．５°〜１４．５°の範囲であるのが好ましく、１０．５°〜１３．５°の範囲であるのがさらに好ましい。これに対し、新生児用ベッド６の前側がその後側よりも高くなるように、新生児用ベッド６を取り付け軸６６を支点として往回動させようとしても、取り付け板５４の上側板部５４ａが水平面６５ｂに当接するために、新生児用ベッド６の上記往回動が阻止される。
【００４０】
５、引出し型キャビネットの説明
【００４１】
引出し型キャビネット７は、図１、図８などに示すように、金属製などのキャビネット本体８１と、このキャビネット本体８１の内部に引き出しおよび押し入れが自在に収納されている金属製などの引出し８２とを備えている。そして、引出し型キャビネット７は、キャビネット本体８１の上側面に配設されているほぼお盆形状のトレー８３をさらに備えている。なお、キャビネット本体８１は、台車本体２の上側面（換言すれば、ほぼ平坦な面またはほぼ平らな面）に適当な取り付け手段によって取り付けられることができる。そして、このような取り付け手段としては、図８において符号８４として示すように、両面粘着テープ、両面粘着シートなどの両面粘着手段や、両面接着テープ、両面接着シートなどの両面接着手段が用いられることができる。また、台車本体２の上側面としては、具体的には、図３、図８などにそれぞれ示す前側または後側の物入れ３５、３６の平面的に見てほぼリング状の外周面付近が用いられることができる。例えば、前側の物入れ３５の外周囲付近のほぼ平担な面（換言すれば、ベースカバー１５の上面）３０が用いられる場合には、物入れ３５の平面的に見た４つの辺のうちの２つの辺（好ましくは、互いに対向する２つの辺）または２つよりも多い辺のほぼ平坦な外周囲付近にキャビネット本体８１の下側面を両面粘着（または両面接着）手段によって粘着または接着すればよい。
【００４２】
引出し型キャビネット７が台車本体２の上側面に取り付けられた状態においては、図３、図６などに示すように、前側の凹部３２の上方のほぼ全体は、引出し型キャビネット７の下側面によって覆われている。したがって、引出し型キャビネット７を台車本体２の上側面に取り付ける作業を行うときには、作業者は、引出し型キャビネット７の下側面の前側部分に手を添えた状態でもって、引出し型キャビネット７を台車本体２の上側面に取り付けることができる。また、引出し型キャビネット７が破損した場合などにおいて、引出し型キャビネット７を台車本体２の上側面から取り外す場合にも、作業者は、引出し型キャビネット７の下側面の前側部分に手を添えた状態でもって、引出し型キャビネット７を台車本体２の上側面から取り外すことができる。なお、前側の凹部３２が平面的に見て引出し型キャビネット７の下側面によって覆われている面積の割合は、実用性の観点から見て一般的に、６０％以上であるのが好ましく、７５％以上であるのがさらに好ましい。
【００４３】
引出し８２は、図８に示すように、キャビネット本体８１の内部に押し込まれて収納されることができる。そして、引出し８２は、図１において鎖線で示すように、キャビネット本体８１の内部から引き出すことができる。なお、キャビネット本体８１に対する引出し８２の引き出しおよび押し込みは、取扱者が引出し８２の前面に付設された合成樹脂製などの把手部８９を手で握って行うことができる。そして、取扱者がキャビネット本体８１に対してトレー８３を引き出したり押し込んだりしたいときには、取扱者は、トレー８３の外周囲に一体成形によって平面的に見てほぼ口字形状などに形成されている凸形状の縁部８５に手を掛けてから、トレー８３を引き出したり押し込んだりすればよい。なお、トレー８３は、図８および図９に示すように、その上側面が合成樹脂製などのほぼお盆形状のトレー本体８６と、このトレー本体８６の下側面に両面粘着（または接着）テープなどによって取り付け固定された金属製などの補強用裏板８７と、この補強用裏板８７の下側面（ただし、ガイド溝９１およびその周辺を除く箇所）にそれ自体が保持している接着剤などによって取り付け固定された接着剤付きの戸滑りテープ８８とを備えていてよい。
【００４４】
一方、キャビネット本体８１の上側板部８１ａには、図５、図９などに示すように、そのほぼ前後方向にそれぞれ延在している例えば４本のスリット９１が設けられている。そして、上側板部８１ａの下側面からスリット９１にそれぞれ挿通された例えば４本のねじ９２が補強用裏板８７にねじ込まれるか圧入されている。なお、符号９３は、ねじ９２が挿通されているブッシュを示している。このために、トレー８３は、ほぼ前後方向に往復動できるようにキャビネット本体８１に取り付けられているので、キャビネット本体８１に対してほぼ前後方向に引き出したり押し込んだりすることができる。この場合、例えば４個のブッシュ９３が例えば４本のガイド溝９１内をそれぞれ摺動するので、トレー８３は、キャビネット本体８１の上側面を円滑にほぼ直線往復動することができる。
【００４５】
６、引出し付き新生児用ベッド構造の製作方法の説明
【００４６】
図１〜図５に示す引出し付き新生児用ベッド構造１を製作するに当たっては、まず、台車４、支柱機構５、かご受け１１、新生児収容かご１２および引出し型キャビネット７のそれぞれが、１ヶ所または複数ヶ所の製造工場などの製造現場において製造されることができる。そして、支柱機構５が、台車４上に立設されることができる。また、かご受け１１が、支柱機構５上に取り付け支持されることができる。さらに、かご受け１１には、新生児収容かご１２が取り付け支持されることができる。この結果、図１〜図５に示す引出し付き新生児用ベッド構造１のうちの新生児収容かご１２および引出し型キャビネット７のそれぞれがまだ組み込まれていない新生児用ベッド構造が、組み立てられることができる。この場合、新生児収容かご１２は、上記製造現場、下記使用現場などのいずれかにおいて、かご受け１１に取り付けられることができる。
【００４７】
一方、引出し型キャビネット７は、引出し付き新生児用ベッド構造１を使用する病院などの使用現場において、上記新生児用ベッド構造にオプションとして組み込まれることができる。そして、この組み込みに当たっては、まず、ベースカバー１５のほぼ平坦な面３０に両面粘着手段、両面接着手段などの取り付け手段８４が貼り付けられることができる。具体的には、上記ほぼ平坦な面は、図示の実施例においては、前側の物入れ３５の外周囲付近における上面３０を意味している。ついで、引出し型キャビネット７の底面の外周囲付近がほぼ平坦な面３０にほぼ位置するように、取り付け手段５４の粘着力または接着力を利用して、引出し型キャビネット７をベースカバー１５上に取り付け固定する。この場合、引出し型キャビネット７は、引出し８２が引出し付き新生児用ベッド構造１のほぼ前方に向かって引き出されるように、台車本体２上に配置される。この結果、図１〜図５に示す引出し付き新生児用ベッド構造１を製作することができる。なお、図示の実施例においては、引出し型キャビネット７を前側の物入れ３５およびその外周囲に配置するようにした。しかし、引出し型キャビネット７は、後側の物入れ３６およびその外周囲に配置することもできる。この場合、引出し型キャビネット７は、引出し８２が引出し付き新生児用ベッド構造１のほぼ後方に向かって引き出されるように、台車本体２上に配置されることができる。
【００４８】
以上、本発明の一実施例について詳細に説明したが、本発明は、この実施例に限定されるものではなく、特許請求の範囲に記載されている発明の趣旨に基づいて各種の変更および修正を施されることが可能である。
【００４９】
例えば、上述の実施例においては、引出し型キャビネット７の引出し８２を引出し付き新生児用ベッド構造１のほぼ前方またはほぼ後方に引き出せるように構成した。しかし、引出し８２を引出し付き新生児用ベッド構造１のほぼ左方および／またはほぼ右方などの別の方向に引き出せるように構成してもよい。
【００５０】
また、上述の実施例においては、引出し型キャビネット７に１個の引出し８２が配設されるように構成した。しかし、複数個の引出し８２が、例えば互いにほぼ上下方向に配列されるように、１個のキャビネット７に設けられていてもよい。
【００５１】
また、上述の実施例においては、ロック解除操作手段５５をかご受け１１（換言すれば、新生児用ベッド６）の前側の把手用スリット４５ａ付近に配設した。しかし、ロック解除操作手段５５は、かご受け１１の後側の把手用スリット４５ｂ付近に配設されていてもよい。また、第１のロック解除操作手段５５を前側の把手用スリット４５ａ付近に配設するとともに、第２のロック解除操作手段５５を後側の把手用スリット４５ｂ付近に配設することもできる。
【００５２】
また、上述の実施例においては、キャビネット本体８を台車４のほぼ平坦な面３０に両面粘着手段や両面接着手段から成る取り付け手段８４によって取り付けるようにした。しかし、単なる粘着剤、単なる接着剤、ねじなどから成る取り付け手段によって、キャビネット本体８を台車４のほぼ平坦な面３０上に取り付けるようにしてもよい。
【００５３】
さらに、台車本体２に設けられている前側の凹部３２および後側の凹部３３のそれぞれは、図６に示すように、ほぼ平坦な面３０からベースカバー（換言すれば、台車本体２）の下端まで、このベースカバー１５（換言すれば、台車本体２）をほぼ上下方向において連通（換言すれば、貫通）して延在している。しかし、前側の凹部３２および後側の凹部３３のそれぞれは、ほぼ平坦な面３０から台車本体２の下端までこの台車本体２をほぼ上下方向に連通している必要は必ずしもなく、ほぼ平坦な面３０から台車本体２の下端よりも多少上方までしかこの台車本体２をほぼ上下方向に連通していない状態（換言すれば、非貫通状態）でもって、形成されていてもよい。この場合、前側の凹部３２および後側の凹部３３のそれぞれの深さは、前述の「５、引出し型キャビネットの説明」の項において記述したように、作業者が引出し型キャビネット７の下側面の前側部分に手を添えた状態でもって引出し型キャビネット７を台車本体２の上側面に取り付けることができる大きさであるのが好ましい。
【符号の説明】
【００５４】
１        引出し付き新生児用ベッド構造
４        台車
５        支柱構造
６        新生児用ベッド
７        引出し型キャビネット
１１      かご受け
１２      新生児収容かご
１３      かご収容用凹部
３０      ほぼ平坦な面
３２      前側の切り込み形状の凹部
３３      後側の切り込み形状の凹部
３５      へこみ形状の物入れ（第１の物入れ）
３６      へこみ形状の物入れ（第２の物入れ）
４３      エンドレスな側壁部
４３ａ    後方側のほぼＵ字形状の側壁部（後側の部分）
４３ｂ    前方側のほぼＵ字形状の側壁部（前側の部分）
４３ｃ    左右一対の傾斜面
４５ａ    前側の把手用スリット
４５ｂ    後側の把手用スリット
５５      ロック解除操作レバー（ロック解除操作手段）
６１      固定支柱（外筒）
６２      可動支柱（内筒）
７７      ロックレバー（状態ロック手段）
８１      キャビネット本体
８２      引出し
８３      トレー
８４      取り付け手段（両面粘着テープ、両面粘着シート、両面接着テープまたは両面接着シート）
Ｌ１        高さ方向における長さ
Ｌ２        高さ方向における長さ
θ          傾斜角度
【図１】
2014104100.tif 000003
【図２】
2014104100.tif 000004
【図３】
2014104100.tif 000005
【図４】
2014104100.tif 000006
【図５】
2014104100.tif 000007
【図６】
2014104100.tif 000008
【図７】
2014104100.tif 000009
【図８】
2014104100.tif 000010
【図９】
2014104100.tif 000011
【図１０】
2014104100.tif 000012